(57)【要約】【課題】簡単に、作業性よく施工できるとともに、入り隅部分の清掃のし易い壁掛便器の取付け構造を提供する。【解決手段】プレート部２とガイドフレーム３とからなる取付けベース１を介して壁面Ｗに便器を壁掛け式に取付ける構造であって、上記プレート部２はガイドフレーム３に昇降自在に支持され、かつ、可撓管２１１を介して排水縦管７に接続される排水管接続部２１と給水管接続部２２と便器本体固定ボルト２３とを備え、便器本体４はその背面固定部４１の上部に、上記プレート部２の上段枠体２４に係止する係止部４１１を備えるとともに、背面固定部４１の複数個所には上記便器本体固定ボルト２３が挿通するボルト孔４３が穿設される。【選択図】図１
2005325658.tif 000002
【特許請求の範囲】
【請求項１】
プレート部とガイドフレームとからなる取付けベースを介して壁面に便器を壁掛け式に取付ける構造であって、上記プレート部はガイドフレームに昇降自在に支持され、かつ、可撓管を介して排水縦管に接続される排水管接続部と給水管接続部と便器本体固定ボルトとを備え、便器本体はその背面固定部の上部に、上記プレート部の上段枠体に係止する係止部を備えるとともに、上記背面固定部の複数個所には上記便器本体固定ボルトが挿通するボルト孔が穿設された壁掛便器の取付け構造。
【請求項２】
上記プレート部の上段枠体の略中央部には位置決めボスが突設され、上記係止部はフック状とされるとともに、その略中央部にも位置決め用凹部が設けられた請求項１に記載の壁掛便器の取付け構造。
【請求項３】
上記便器本体を上記取付けベースに取付けた後、両者の取付け部全体を化粧キャビネットで囲繞するとともに、該化粧キャビネットの前面カバー部が着脱自在とされた請求項１に記載の壁掛便器の取付け構造。
【請求項４】
上記便器は温水洗浄便座を備えた請求項１に記載の壁掛便器の取付け構造。
【発明の詳細な説明】
【技術分野】
【０００１】
本発明は、壁掛便器に関する。さらに詳しくは、支持構造を介して便器本体が壁面に壁掛け式に取付けられる壁掛便器の取付け構造に関する。
【背景技術】
【０００２】
従来、洋式便器としては、いわゆる床置き式便器が用いられ、通常、便器本体の下部に延設された脚部を床面に固定して設置されている。しかしながら、上記脚部が便器の中でかなりの容積を占めるため便器全体の重量が重くなり、設置時の作業性は必ずしもよいものとはいえない。また、設置後も上記脚部が障害となって排水機構の保守作業やトイレの床面の清掃作業がしにくいため、近年、上記した壁掛け式の便器が普及しつつあり、既に種々の技術が公知である。例えば、下記文献には、支持フレームを介して壁面に取付けられる壁掛便器の構造が開示されている。
【特許文献１】実開平３−６８２６７号公報（第１頁、第３、４図）
【発明の開示】
【発明が解決しようとする課題】
【０００３】
しかしながら、上記技術においては、便器本体は支持フレームを介して壁面に取付けられ、一方、便器ボウル部からの排水は別途配管された排水管に接続されるため、便器本体の位置決めと、排水管の接続という両作業を同時に行なわなければならず、作業性が悪いという問題があった。本発明は、上記問題点を解決して、重い便器を何度も取付け、取外して位置決めすることなく、便器の支持フレームへの取付けと排水管との接続とを同時に、簡単に、作業性よく施工することのできる壁掛便器の取付け構造を提供することをその課題とする。
【課題を解決するための手段】
【０００４】
本発明は、上記課題を解決するために考え出されたものであって、つぎのような技術的手段を講じている。すなわち、本発明によれば、プレート部とガイドフレームとからなる取付けベースを介して壁面に便器を壁掛け式に取付ける構造であって、上記プレート部はガイドフレームに昇降自在に支持され、かつ、可撓管を介して排水縦管に接続される排水管接続部と給水管接続部と便器本体固定ボルトとを備え、便器本体はその背面固定部の上部に、上記プレート部の上段枠体に係止する係止部を備えるとともに、上記背面固定部の複数個所には上記便器本体固定ボルトが挿通するボルト孔が穿設された壁掛便器の取付け構造が提供される。
【０００５】
上記プレート部の上段枠体の略中央部には位置決めボスが突設されるとともに、上記延設された係止部はフック状とされ、その略中央部にも位置決め用凹部が設けられることが好ましい。
【０００６】
また、上記便器本体を取付けベースに取付けた後、両者の取付け部全体を化粧キャビネットで囲繞するとともに、該化粧キャビネットの前面カバー部が着脱自在とされることが好ましい。また、上記便器は温水洗浄便座を備えることが好ましい。
【発明の効果】
【０００７】
請求項１に記載の発明は上記のとおりであり、ガイドフレームに昇降自在に支持されるプレート部に設けられた排水管接続部が可撓管を介して排水縦管に接続されているため、重い便器を何度も取付け、取外して位置決めすることなく、取付けベースへの便器本体の取付け位置の調整と排水管の接続位置との調整を同時に行なうことが可能となり、簡単に、作業性よく施工することができる。
【０００８】
上記プレート部の上段枠体の略中央部には位置決めボスが突設されるとともに、便器本体の背面固定部の上部に延設されたフック状の係止部の略中央部にも位置決め用凹部が設けられているため、両者の位置決めを簡単にできるとともに、重量物である便器本体の取付けベースへの取付けを容易に、かつ、安全に行なうことができる。
【０００９】
上記便器本体を取付けベースに取付けた後、両者の取付け部全体を化粧キャビネットで囲繞するとともに、該化粧キャビネットの前面カバー部が着脱自在とされているため、前面カバー部を取外して清掃のしにくい入り隅部分を簡単に清掃することができる。また、上記便器は温水洗浄便座を備えているため、快適にトイレを使用することができる。
【発明を実施するための最良の形態】
【００１０】
以下、本発明の実施形態について図面を参照して、詳細に説明する。図１は、本発明にかかる壁掛便器の取付け構造を示す分解斜視図である。図１において、上記壁掛便器の取付け構造は、温水洗浄機能付きの便座６を備えた便器本体４を取付けベース１を介して壁面に壁掛け式に取付ける構造とされている。図１からよくわかるように、上記取付けベース１は、プレート部２とガイドフレーム３とからなり、プレート部２はガイドフレーム３によって昇降自在に支持されるとともに、ガイドフレーム３自体は脚部３１によって床面にしっかりと立設されている。
【００１１】
上記プレート部２の略中央部には、排水管接続部２１が設けられ、この排水管接続部２１は、可撓管２１１を介して排水縦管７に接続されている。さらにプレート部２は給水管接続部２２を備え、便器本体４の洗浄は給水管接続部２２から供給される給水によって行なわれ、洗浄排水は排水出口部４２から上記排水管接続部２１を経て排水縦管７に排水される。また、上記プレート部２には複数本の便器本体固定ボルト２３が突設されるとともに、上段枠体２４には位置決めボス２４１が突設されている。
【００１２】
一方、便器本体４には、その背面固定部４１の上部に上記プレート部２の上段枠体２４に係止するフック状の係止部４１１が延設され、この係止部４１１の略中央部は切り欠かれて位置決め用凹部４１２とされている。さらに、背面固定部４１には、上記便器本体固定ボルト２３が挿通する複数のボルト孔４３が穿設されている。ボルト孔４３を挿通した便器本体固定ボルト２３は、図示しないナットでしっかりと固定され、このようにして取付けられた便器本体４とプレート部２とは、両者の取付け部全体を化粧キャビネット５で囲繞される。この化粧キャビネット５は、図１によく示されているように、側面部５１と前面カバー部５２と２枚の天板５３とからなり、前面カバー部５２は取っ手５２１を備えるとともに、着脱自在とされている。
【００１３】
つぎに、便器本体４を取付けベース１を介して壁面に壁掛け式に取付ける作業手順について図面を参照して説明する。まず、前記したプレート部２の上段枠体２４の略中央部に突設された位置決めボス２４１に、便器本体４の背面固定部４１に延設された係止部４１１の略中央部に設けられた位置決め用凹部４１２を嵌め合わせる。このように、両者の位置決めと、重量物である便器本体４の取付けベース１への接続を容易に、かつ、安全に行なった後、図２（ａ）に示すように、フック状の係止部４１１を上段枠体２４に係合させる。ついで、図２（ｂ）に示すように、上段枠体２４を軸にして便器本体４を回転させ、排水出口部４２と排水管接続部２１とを接続させ、同時に給水管接続部２２も接続する。このとき、排水管接続部２１は、壁面Ｗ内の排水縦管７（図示せず）に接続された可撓管２１１が介在することによって位置決めが容易となり、スムースに接続することができる。最後に図２（ｃ）に示すように、便器本体４を取付けベース１にしっかりと固定する。
【００１４】
つぎに、本発明にかかる壁掛便器を取付けた後、トイレ床面の、とくに清掃のしにくい入り隅部分の清掃方法について、図面を参照して説明する。図３（ａ）は、上記壁掛便器を取付けベース１を介してトイレ床面に設置した状態を示す説明図である。図３（ａ）において、点線で囲まれた部分が清掃のしにくい入り隅部分を示し、この部分を清掃する場合、図３（ｂ）に示すように、プレート部２とガイドフレーム３との固定手段（図示せず）を緩め、便器本体４を矢印で示すように上限まで引き上げる。
【００１５】
図３（ｂ）に示す状態において、化粧キャビネット５の前面カバー部５２は、着脱自在とされているため、図３（ｃ）に示すように取っ手５２１を手前に引き、前面カバー部５２を取外すことができる。このようにして前面カバー部５２を取外した後、入り隅部分に溜まったほこりやゴミ等を除去して前面カバー部５２を取付け、便器本体４を元の位置に引き下げれば、図３（ａ）に示す状態となり、再び快適に壁掛便器として使用できる。
【図面の簡単な説明】
【００１６】
【図１】本発明にかかる壁掛便器の取付け構造を示す分解斜視図である。
【図２（ａ）】便器本体を取付けベースに係合させる状態を示す説明図である。
【図２（ｂ）】便器本体を回転させ排水管接続部を接続する状態を示す説明図である。
【図２（ｃ）】便器本体を取付けベースに取付けた状態を示す説明図である。
【図３（ａ）】清掃のしにくい入り隅部分を示す説明図である。
【図３（ｂ）】便器本体を上限まで引き上げた状態を示す説明図である。
【図３（ｃ）】前面カバー部を取外す状態を示す説明図である。
【符号の説明】
【００１７】
１          取付けベース
２          取付けベースを構成するプレート部
２１        排水管接続部
２１１      可撓管
２２        給水管接続部
２３        便器本体固定ボルト
２４        上段枠体
２４１      位置決めボス
３          取付けベースを構成するガイドフレーム
３１        脚部
４          便器本体
４１        背面固定部
４１１      係止部
４１２      位置決め用凹部
４２        排水出口部
４３        ボルト孔
５          化粧キャビネット
５１        側面部
５２        前面カバー部
５２１      取っ手
５３        天板
６          便座
７          排水縦管
Ｗ          壁面
【図１】
2005325658.tif 000003
【図２（ａ）】
2005325658.tif 000004
【図２（ｂ）】
2005325658.tif 000005
【図２（ｃ）】
2005325658.tif 000006
【図３（ａ）】
2005325658.tif 000007
【図３（ｂ）】
2005325658.tif 000008
【図３（ｃ）】
2005325658.tif 000009